(57)【要約】      （修正有）【課題】部品点数及び組立工程が少なく構成が簡素化された分岐用のコネクタを提供する。【解決手段】導電線に直接又は他の部材を介して電気的に接続される第１接続部３２と、第１接続部３２と一体に設けられ相手側コネクタが有する相手側コンタクト部に嵌合する第１コンタクト部３１とを有し、第１接続部３２及び第１コンタクト部３１の少なくとも一方が複数設けられている端子３０、を備えたコネクタを構成する。【選択図】図１１
2017126495.tif 000002
【特許請求の範囲】
【請求項１】
導電線に直接又は他の部材を介して電気的に接続される第１接続部と、該第１接続部と一体に設けられ相手側コネクタが有する相手側コンタクト部に嵌合する第１コンタクト部とを有し、前記第１接続部及び前記第１コンタクト部の少なくとも一方が複数設けられている端子、を備えていることを特徴とする、コネクタ。
【請求項２】
導電線に直接又は他の部材を介して電気的に接続される第１接続部と、該第１接続部と一体に設けられ相手側コネクタが有する相手側コンタクト部に嵌合する第１コンタクト部とを有し、前記第１接続部が前記導電線の長手方向における中途部分に接続される端子、を備えていることを特徴とする、コネクタ。
【請求項３】
請求項１又は請求項２に記載のコネクタにおいて、
前記第１接続部は、前記導電線に圧着又は圧接されることを特徴とする、コネクタ。
【請求項４】
請求項１から請求項３のいずれか１項に記載のコネクタにおいて、
前記第１コンタクト部は、前記相手側コンタクト部が有する一対の板バネ部によって挟まれて保持されることにより、該相手側コンタクト部と嵌合し、
前記第１コンタクト部における前記相手側コンタクト部が挿入される側の部分を覆うカバー部を有するハウジングを更に備えていることを特徴とする、コネクタ。
【請求項５】
請求項１から請求項４のいずれか１項に記載のコネクタと、
前記コネクタの第１コンタクト部と嵌合する相手側コンタクト部を有する相手側コネクタと、
を備えていることを特徴とする、電気的接続装置。
【請求項６】
請求項５に記載の電気的接続装置において、
導電線の終端部に電気的に接続される第２接続部と、該第２接続部と一体に設けられ前記相手側コンタクト部に嵌合する第２コンタクト部とを有し、前記第２接続部及び前記第２コンタクト部が１つずつ設けられている第２端子、を含む終端コネクタ、を更に備えていることを特徴とする、電気的接続装置。
【発明の詳細な説明】
【技術分野】
【０００１】
本発明は、ケーブルを分岐するためのコネクタ、及びこのコネクタを備えた電気的接続装置に関する。
【背景技術】
【０００２】
従来から知られている分岐用のコネクタとしては、例えば特許文献１の図２に開示されている３分岐コネクタ１が挙げられる。このコネクタ１では、特許文献１の図３を参照して、２本の電線２４，２５のそれぞれの所定箇所の被覆が除去され、それぞれの被覆が除去された部分がリングスリーブ２６で固定されることにより、２本の電線２４，２５が略Ｔ字状に形成される。そして、Ｔ字状に形成された電線の各端部にスリーブ２１，２２，２３（コンタクト部）が配置され、これらがリングスリーブ２１ａ，２２ａ，２３ａによってかしめられ且つ半田付けされることにより、電線とコンタクト部とが電気的且つ機械的に接続される。
【先行技術文献】
【特許文献】
【０００３】
【特許文献１】特開平１０−１３５４９９号公報
【発明の概要】
【発明が解決しようとする課題】
【０００４】
ところで、上述した分岐コネクタには、多数の部品、具体的には、複数の電線２４，２５、及びリングスリーブ２１ａ，２２ａ，２３ａ，２６等が必要となるため、部品点数が増大してしまう。また、このコネクタを組み立てる際には、リングスリーブ２１ａ，２２ａ，２３ａ，２６をかしめる作業、電線２４，２５の被覆を除去する作業等、多くの作業工程が必要となる。更には、コネクタ１の成型時に電線加工品２のインサート成形も必要となる。
【０００５】
本発明は、上記課題を解決するためのものであり、その目的は、部品点数及び組立工程が少なく構成が簡素化された分岐用のコネクタ、及び該コネクタを備えた電気的接続装置を提供することである。
【課題を解決するための手段】
【０００６】
（１）上記課題を解決するために、この発明のある局面に係るコネクタは、導電線に直接又は他の部材を介して電気的に接続される第１接続部と、該第１接続部と一体に設けられ相手側コネクタが有する相手側コンタクト部に嵌合する第１コンタクト部とを有し、前記第１接続部及び前記第１コンタクト部の少なくとも一方が複数設けられている端子、を備えている。
【０００７】
この構成では、第１接続部が導電線に電気的に接続されたコネクタの第１コンタクト部に、相手側コネクタの相手側コンタクト部を嵌合させることにより、コネクタ側の機器（以下、便宜上第１機器と称する）と、相手側コネクタ側の機器（以下、便宜上第２機器と称する）とを電気的に接続することができる。
【０００８】
また、この構成では、上述のように、第１接続部及び第１コンタクト部の少なくとも一方が複数、設けられている。そうすると、第１接続部が複数設けられている場合には、第１機器側の第１接続部に接続されている導電線を、第１機器と反対側に接続されている導電線と、相手側コネクタに接続された導電線とに分岐することができる。一方、第１コンタクト部が複数設けられている場合には、第１接続部に接続されている導電線を、各第１コンタクト部に嵌合する相手側コネクタのそれぞれに接続された各導電線に分岐することができる。すなわち、この構成によれば、第１機器側の導電線を、第２機器側へ向けて複数に分岐することができる。
【０００９】
そして、この構成では、第１接続部及び第１コンタクト部を有する端子が、一体に設けられている。すなわち、この構成によれば、第１機器側の導電線を第２機器側へ向けて複数に分岐可能なコネクタの端子を、１つの部材で形成することができる。そうすると、例えば複数の部材を組み立てることによりコネクタの端子を形成する場合と比べて、部品点数及び組立工数を削減することができる。
【００１０】
従って、この構成によると、部品点数及び組立工程が少なく、構成が簡素化された分岐用のコネクタを提供できる。
【００１１】
（２）上記課題を解決するために、この発明のある局面に係るコネクタは、導電線に直接又は他の部材を介して電気的に接続される第１接続部と、該第１接続部と一体に設けられ相手側コネクタが有する相手側コンタクト部に嵌合する第１コンタクト部とを有し、前記第１接続部が前記導電線の長手方向における中途部分に接続される端子、を備えている。
【００１２】
この構成によれば、第１接続部が導電線に電気的に接続されたコネクタの第１コンタクト部に、相手側コネクタの相手側コンタクト部を嵌合させることにより、コネクタ側の機器（以下、便宜上第１機器と称する）と、相手側コネクタ側の機器（以下、便宜上第２機器と称する）とを電気的に接続することができる。
【００１３】
また、この構成によれば、第１機器側の導電線を、相手側コネクタに接続された導電線に分岐することができる。すなわち、この構成によれば、第１機器側の導電線を、第２機器側へ向けて複数に分岐することができる。
【００１４】
そして、この構成では、第１接続部及び第１コンタクト部を有する端子が、一体に設けられている。すなわち、この構成によれば、第１機器側の導電線を第２機器側へ向けて複数に分岐可能なコネクタの端子を、１つの部材で形成することができる。そうすると、例えば複数の部材を組み立てることによりコネクタの端子を形成する場合と比べて、部品点数及び組立工数を削減することができる。
【００１５】
従って、この構成によると、部品点数及び組立工程が少なく、構成が簡素化された分岐用のコネクタを提供できる。
【００１６】
（３）好ましくは、前記第１接続部は、前記導電線に圧着又は圧接される。
【００１７】
この構成によれば、導電線に第１接続部を圧着又は圧接することにより、コネクタの端子を、導電線に対して電気的且つ機械的に適切に接続することができる。
【００１８】
（４）好ましくは、前記第１コンタクト部は、前記相手側コンタクト部が有する一対の板バネ部によって挟まれて保持されることにより、該相手側コンタクト部と嵌合し、前記コネクタは、前記第１コンタクト部における前記相手側コンタクト部が挿入される側の部分を覆うカバー部を有するハウジングを更に備えている。
【００１９】
この構成によれば、第１機器と電気的に接続されている第１コンタクト部が、カバー部によって覆われている。こうすると、例えば作業者が相手側コネクタをコネクタへ嵌合する際に誤って第１コンタクト部に触れてしまうことを、カバー部によって未然に防止することができる。すなわち、この構成によれば、組立作業時における作業者の感電を防止できる。
【００２０】
（５）上記課題を解決するために、この発明のある局面に係る電気的接続装置は、上述したいずれかのコネクタと、該コネクタの第１コンタクト部と嵌合する相手側コンタクト部を有する相手側コネクタと、を備えている。
【００２１】
この構成によれば、部品点数及び組立工程が少なく構成が簡素化された分岐用のコネクタ、を備えた電気的接続装置を構成することができる。
【００２２】
（６）好ましくは、前記電気的接続装置は、導電線の終端部に電気的に接続される第２接続部と、該第２接続部と一体に設けられ前記相手側コンタクト部に嵌合する第２コンタクト部とを有し、前記第２接続部及び前記第２コンタクト部が１つずつ設けられている第２端子、を含む終端コネクタ、を更に備えている。
【００２３】
例えば、第１接続部が複数設けられている端子を有する複数のコネクタと、複数の相手側コネクタとを適宜、組み合わせて各導電線を結線し、システムを構築した場合、基線側の導電線における終端部に設けられたコネクタにおいて、導電線が接続されない第１接続部が生じてしまい、その部分が開放されたままの状態となってしまう。
【００２４】
この点につき、この構成によれば、導電線の終端部に終端コネクタを設けることにより、上述のように開放されたままの第１接続部が生じてしまうことを防止できる。これにより、より安全性に優れた電気的接続装置を提供できる。しかも、終端コネクタには、第２接続部及び第２コンタクト部が１つずつ設けられているため、その構成を簡素化できる。
【発明の効果】
【００２５】
本発明によれば、部品点数及び組立工程が少なく構成が簡素化された分岐用のコネクタ、及び該コネクタを備えた電気的接続装置を提供できる。
【図面の簡単な説明】
【００２６】
【図１】本実施形態に係る電気的接続装置の使用形態を模式的に示す図である。
【図２】互いに嵌合した状態の基線側コネクタ及び分岐線側コネクタの斜視図である。
【図３】互いに嵌合した状態の基線側コネクタ及び分岐線側コネクタを後方から視た図である。
【図４】図３のＩＶ−ＩＶ線における断面図である。
【図５】基線側コネクタの斜視図である。
【図６】図５に示す基線側コネクタを後方から視た図である。
【図７】図６のＶＩＩ−ＶＩＩ線における断面図である。
【図８】ハウジング本体部の斜視図である。
【図９】図８に示すハウジング本体部を左側から視た図である。
【図１０】図８に示すハウジング本体部を前方から視た図である。
【図１１】基線ケーブルが圧着された状態のタブ端子の斜視図である。
【図１２】タブ端子の斜視図である。
【図１３】カバーハウジングの斜視図である。
【図１４】分岐線側コネクタの斜視図である。
【図１５】図１４に示す分岐線側コネクタを前方から視た図である。
【図１６】図１５のＸＶＩ−ＸＶＩ線における断面図である。
【図１７】分岐線側ハウジングの斜視図である。
【図１８】分岐ケーブルが圧着された状態のリセ端子の斜視図である。
【図１９】リセ端子の斜視図である。
【図２０】変形例に係る基線側コネクタのタブ端子の斜視図であって、該タブ端子が圧着された基線ケーブルとともに示す図である。
【図２１】変形例に係る基線側コネクタのタブ端子の斜視図であって、該タブ端子が圧着された基線ケーブルとともに示す図である。
【図２２】変形例に係る基線側コネクタのタブ端子の斜視図である。
【図２３】図２２に示すタブ端子と、該タブ端子が圧着された基線ケーブルとを示す斜視図である。
【図２４】変形例に係る基線側コネクタのタブ端子の斜視図である。
【図２５】図２４に示すタブ端子と、該タブ端子が圧接された基線ケーブルとを示す斜視図である。
【図２６】変形例に係る電気的接続装置の使用形態を模式的に示す図である。
【図２７】変形例に係る電気的接続装置が有する終端コネクタの終端コネクタ用タブ端子の斜視図であって、該終端コネクタ用タブ端子が圧着された基線ケーブルとともに示す図である。
【発明を実施するための形態】
【００２７】
以下、本発明を実施するための形態について図面を参照しつつ説明する。本発明は、ケーブルを分岐するためのコネクタに広く適用できる。
【００２８】
図１は、本実施形態に係る電気的接続装置１の使用形態を模式的に示す図である。また、図２は、互いに嵌合した状態の基線側コネクタ２及び分岐線側コネクタ４０の斜視図である。また、図３は、互いに嵌合した状態の基線側コネクタ２及び分岐線側コネクタ４０を後方から視た図である。また、図４は、図３のＩＶ−ＩＶ線における断面図である。
【００２９】
なお、各図において、説明の便宜上、右と記載された矢印が指示する方向を右側と称し、左と記載された矢印が指示する方向を左側と称し、上と記載された矢印が指示する方向を上側又は上方と称し、下と記載された矢印が指示する方向を下側又は下方と称し、前と記載された矢印が指示する方向を前側又は前方と称し、後と記載された矢印が指示する方向を後側又は後方と称する。前方とは、分岐線側コネクタ４０を基線側コネクタ２へ嵌合させる際の方向（嵌合方向）であり、後方とは、分岐線側コネクタ４０を基線側コネクタ２から抜去する際の方向（抜去方向）である。
【００３０】
本実施形態に係る電気的接続装置１は、例えば一例として図１に示すように、携帯電話基地局（図示省略）に複数の蓄電池モジュールＢを接続するために用いられる。図１に示す例では、携帯電話基地局システムが有する制御モジュールＣと接続された一対の基線７０のそれぞれが複数の分岐ケーブル７５へ分岐され、各分岐ケーブル７５に蓄電池モジュールＢが接続されている。
【００３１】
電気的接続装置１は、図１を参照して、複数の基線側コネクタ２と、複数の分岐線側コネクタ４０（相手側コネクタ）とを備えている。電気的接続装置１では、１つの基線側コネクタ２と１つの分岐線側コネクタ４０とが嵌合することにより、分岐ケーブル７５を介して分岐線側コネクタ４０と接続された蓄電池モジュールＢを、基線７０へ電気的に接続することができる。なお、本実施形態に係る電気的接続装置１では、所定の長さを有する複数の基線ケーブル７０ａ（導電線）によって基線７０が構成されている。
【００３２】
［基線側コネクタの構成］
図５は、基線側コネクタ２の斜視図である。また、図６は、図５に示す基線側コネクタ２を後方から視た図である。また、図７は、図６のＶＩＩ−ＶＩＩ線における断面図である。
【００３３】
基線側コネクタ２は、ハウジング本体部４及びカバーハウジング３５で構成された基線側ハウジング部３と、タブ端子３０とを有している。なお、タブ端子３０は、基線側ハウジング部３内に収容されているため、図５及び図６では図示されていない。基線側コネクタ２では、基線ケーブル７０ａが接続されたタブ端子３０が、基線側ハウジング部３に収容されている。
【００３４】
図８は、ハウジング本体部４の斜視図である。また、図９は、図８に示すハウジング本体部４を左側から視た図である。また、図１０は、ハウジング本体部４を前方から視た図である。
【００３５】
ハウジング本体部４は、左右方向に延びるように設けられ、前方に開口する開口部を有する略箱状に形成された樹脂製の部材である。ハウジング本体部４は、箱状部５とタブ端子部収容部２０とを有し、これらが一体に形成されている。
【００３６】
箱状部５は、ハウジング本体部４のうち左右方向に延びるように設けられた箱状の部分である。箱状部５は、図８から図１０を参照して、後壁部６、上壁部７、下壁部８、右壁部９、左壁部１０、及び仕切部１１を有し、これらが一体に形成されている。
【００３７】
後壁部６は、左右方向に細長い壁状の部分である。後壁部６には、図１０を参照して、格子状に形成された補強リブ６ａが形成されている。また、後壁部６には、図８及び図１０を参照して、該後壁部６から前方へ延びる４つの爪係合部６ｂが形成されている。図７を参照して、各爪係合部６ｂには、ロック孔部６ｃが形成されている。各爪係合部６ｂのロック孔部６ｃには、詳しくは後述するカバーハウジング３５のロック爪３６が嵌まり込む。これにより、ハウジング本体部４とカバーハウジング３５とが嵌合した状態においてカバーハウジング３５がハウジング本体部４から外れてしまうことを防止できる。
【００３８】
上壁部７は、後壁部６の上側の縁部から前方へ延びるように形成された壁状の部分である。また、下壁部８は、後壁部６の下側の縁部から前方へ延びるように形成された壁状の部分である。
【００３９】
右壁部９は、後壁部６の右側の縁部から前方へ延びるように形成された壁状の部分である。右壁部９には、円弧部９ａが形成されている。この円弧部９ａは、図５を参照して、ハウジング本体部４とカバーハウジング３５とが嵌合した状態において、カバーハウジング３５の右側に形成された円弧部３７（図１３参照）とともに、右側から視て円形穴状に形成された右側穴部１２を構成する。この右側穴部１２には、基線ケーブル７０ａが挿通する。
【００４０】
左壁部１０は、後壁部６の左側の縁部から前方へ延びるように形成された壁状の部分である。左壁部１０には、右壁部９に形成された円弧部９ａと同じ形状を有する円弧部１０ａが形成されている。この円弧部１０ａは、ハウジング本体部４とカバーハウジング３５とが嵌合した状態において、カバーハウジング３５の左側に形成された円弧部３８（図１３参照）とともに、左側から視て円形穴状に形成された左側穴部を構成する。この左側穴部には、基線ケーブル７０ａが挿通する。
【００４１】
仕切部１１は、図１０を参照して、箱状部５における左右方向中央部分に形成された部分であって、箱状部５の内側の空間を右側空間ＳＲと左側空間ＳＬとに仕切っている。仕切部１１は、図１０に示すように、前方から視て略Ｈ状に形成されている。
【００４２】
仕切部１１は、右側壁部１４と、左側壁部１５と、連結壁部１６とを有している。右側壁部１４は、箱状部５における左右方向中央部よりもやや右側に形成された壁部である。左側壁部１５は、箱状部５における左右方向中央部よりもやや左側に形成された壁部である。連結壁部１６は、左右方向に延びる壁部であって、右側壁部１４と左側壁部１５とを連結している。
【００４３】
仕切部１１には、隙間部１７が形成されている。隙間部１７は、仕切部１１における上側の部分に形成された左右方向に細長いスリット状の部分である。
【００４４】
タブ端子部収容部２０は、図８を参照して、前後方向に延びる略角筒状に形成された部分であって、箱状部５と一体に形成されている。タブ端子部収容部２０は、角筒部２１と、保護壁部２５とを有し、これらが一体に形成されている。
【００４５】
角筒部２１は、前後方向に延びる角筒状に形成された部分である。角筒部２１は、箱状部５の後壁部６の左右方向中央部分における上側寄りの部分から後方へ延びるように形成されている。図４及び図８を参照して、角筒部２１における上側の壁部２２には、片持ち梁状に形成された撓み部２３が形成されている。この撓み部２３に形成されたロック爪２４は、図４を参照して、分岐線側コネクタ４０に形成されたロック溝部４６に嵌まり込む。これにより、分岐線側コネクタ４０と基線側コネクタ２とが嵌合した状態において、分岐線側コネクタ４０が基線側コネクタ２から抜けてしまうことを防止できる。
【００４６】
保護壁部２５は、角筒部２１内を前後方向に延びる壁状に形成された部分であって、図８に示すように、角筒部２１内の空間を上側の空間と下側の空間とに仕切っている。保護壁部２５には、図４に示すように、該保護壁部２５における前側の端面から後方へ延びるスリット部２６が形成されている。スリット部２６は、保護壁部２５における後端部の手前側まで延びるように形成されている。スリット部２６には、図４に示すように、タブ端子３０のタブ端子部３１が嵌まり込んでいる。タブ端子部３１は、保護壁部２５のスリット部２６に嵌まり込んだ状態において、該タブ端子部３１における先端側（後側）の部分が、前記保護壁部２５における後側の部分２５ａによって覆われている。この部分２５ａは、タブ端子部３１における後側の部分を後側から覆うカバー部２５ｂとして設けられている。
【００４７】
図１１は、基線ケーブル７０ａが圧着された状態のタブ端子３０の斜視図である。また、図１２は、タブ端子３０の斜視図である。
【００４８】
タブ端子３０は、板状の金属部材がプレス加工によって折り曲げられて形成された部品である。タブ端子３０は、タブ端子部３１（第１コンタクト部）と、２つの圧着部３２，３２（第１接続部）と、連結部３３とを有し、これらが一体に形成されている。
【００４９】
タブ端子部３１は、タブ状に形成された部分であって、分岐線側コネクタ４０のリセ端子部６３と接触する部分である。タブ端子部３１は、上下方向に所定の厚みを有し、前後方向に延びる平坦な板状に形成されている。
【００５０】
２つの圧着部３２，３２は、右側圧着部３２Ｒと左側圧着部３２Ｌとを有している。各圧着部３２Ｒ，３２Ｌは、左右方向に延びる円筒状に形成されている。
【００５１】
各圧着部３２は、図１１に示すように、基線ケーブル７０ａの導電部７１に圧着されている。具体的には、右側の基線ケーブル７０ａの端部の被覆が除去されることにより露出した導電部７１が右側圧着部３２Ｒの右側から挿通され、その状態の導電部７１に対して右側圧着部３２Ｒがかしめられる。これにより、右側圧着部３２Ｒが、右側の基線ケーブル７０ａに対して電気的且つ機械的に接続される。一方、左側の基線ケーブル７０ａの端部の被覆が除去されることにより露出した導電部７１が左側圧着部３２Ｌの左側から挿通され、その状態の導電部７１に対して左側圧着部３２Ｌがかしめられる。これにより、左側圧着部３２Ｌが、左側の基線ケーブル７０ａに対して電気的且つ機械的に接続される。なお、各圧着部３２が基線ケーブル７０ａにかしめられることにより、各圧着部３２には凹状のかしめ痕３２ａが形成される。
【００５２】
連結部３３は、タブ端子部３１と圧着部３２とを連結する部分である。連結部３３は、左右方向に延びるように設けられ、左右両側の各端部に圧着部３２が設けられているとともに、後側の縁部にタブ端子部３１が設けられている。連結部３３は、平坦部３３ａ、右側傾斜部３３Ｒ、及び左側傾斜部３３Ｌを有し、これらが一体に形成されている。
【００５３】
平坦部３３ａは、連結部３３における左右方向中央部分に設けられた部分であって、上下方向に所定の厚みを有する平坦な板状に形成されている。平坦部３３ａの厚みは、タブ端子部３１の厚みと同じである。平坦部３３ａの後端縁部に、タブ端子部３１が設けられている。
【００５４】
右側傾斜部３３Ｒは、平坦部３３ａにおける右側の縁部から右斜め下方向へ緩やかに傾斜しながら延びている。右側傾斜部３３Ｒの先端部分は、右側圧着部３２Ｒの左端部における下側の端部と繋がっている。一方、左側傾斜部３３Ｌは、平坦部３３ａにおける左側の縁部から左斜め下方向へ緩やかに傾斜しながら延びている。左側傾斜部３３Ｌの先端部分は、左側圧着部３２Ｌの右端部における下側の部分と繋がっている。
【００５５】
基線側コネクタ２では、基線ケーブル７０ａが圧着された状態のタブ端子３０が、以下のようにしてハウジング本体部４内に収容される。具体的には、図４を参照して、タブ端子３０が、ハウジング本体部４の前側から後側へ向けて挿入される。このとき、タブ端子３０のタブ端子部３１が、隙間部１７を介して、タブ端子部収容部２０内に形成されたスリット部２６へ挿入されるとともに、平坦部３３ａが隙間部１７に挿入される。また、これと同時に、図示は省略するが、右側圧着部３２Ｒ及び右側傾斜部３３Ｒが右側空間ＳＲへ挿入され、且つ左側圧着部３２Ｌ及び左側傾斜部３３Ｌが左側空間ＳＬへ挿入される。これにより、基線ケーブル７０ａが圧着された状態のタブ端子３０が、ハウジング本体部４内に収容される。
【００５６】
図１３は、カバーハウジング３５の斜視図である。カバーハウジング３５は、タブ端子３０が収容された状態のハウジング本体部４の前側の部分を覆うための部材であって、左右方向に細長い形状を有している。カバーハウジング３５は、ハウジング本体部４と嵌合した状態では、図７を参照して、４つのロック爪３６（図７では２つのみ図示）が、ハウジング本体部４の各ロック孔部６ｃと係合している。これにより、ハウジング本体部４に対してカバーハウジング３５が固定される。
【００５７】
基線側コネクタ２では、図４及び図５を参照して、タブ端子部３１の先端部分が、基線側ハウジング部３のカバー部２５ｂによって覆われている。すなわち、基線側コネクタ２のタブ端子部３１は、カバー部２５ｂによって外部に露出しない状態となっている。こうすると、作業者による基線側コネクタ２と分岐線側コネクタ４０との嵌合作業が行われる際、作業者の指がタブ端子部３１に触れることを防止できる。すなわち、カバー部２５ｂは、作業者の感電を防止するフィンガープロテクト部として機能する。
【００５８】
［分岐線側コネクタの構成］
図１４は、分岐線側コネクタ４０の斜視図である。また、図１５は、図１４に示す分岐線側コネクタ４０を前方から視た図である。また、図１６は、図１５のＸＶＩ−ＸＶＩ線における断面図である。
【００５９】
分岐線側コネクタ４０は、図１４から図１６を参照して、分岐線側ハウジング４１と、リセ端子６０とを有している。
【００６０】
図１７は、分岐線側ハウジング４１の斜視図である。分岐線側ハウジング４１は、図１４から図１７を参照して、第１角筒部４２と、第２角筒部４３と、２つの保護壁部４４とを有し、これらが一体に形成されている。
【００６１】
第１角筒部４２は、分岐線側ハウジング４１における後側に設けられた部分である。第１角筒部４２は、前後方向に延びる略角筒状に形成されている。図１６を参照して、第１角筒部４２における左側の壁部の内側には、ランス部４５が設けられている。これにより、分岐線側ハウジング４１内に挿入された状態のリセ端子６０が後方に抜けてしまうことを防止できる。
【００６２】
第２角筒部４３は、分岐線側ハウジング４１における前側に設けられた部分である。第２角筒部４３は、前後方向に延びる略角筒状に形成されている。第２角筒部４３は、図１７を参照して、第１角筒部４２と比べて、前後方向の長さが短く且つ上下方向の長さが長くなるように構成されている。
【００６３】
第２角筒部４３は、図２及び図４を参照して、基線側コネクタ２と分岐線側コネクタ４０とが嵌合した状態において、基線側ハウジング部３のタブ端子部収容部２０の外側を覆い、該タブ端子部収容部２０と嵌合している。具体的には、図４を参照して、第２角筒部４３における上側の壁部及び下側の壁部には、それぞれ、各壁部における内側の部分を前後方向に延びる２本のロック溝部４６が形成されている。
【００６４】
図４を参照して、電気的接続装置１では、基線側コネクタ２と分岐線側コネクタ４０とが嵌合した状態において、タブ端子部収容部２０に形成された各ロック爪２４が、４本形成されたロック溝部４６のうち上側に形成された各ロック溝部４６に嵌まり込む。これにより、基線側コネクタ２に嵌合した状態の分岐線側コネクタ４０が後方へ抜けてしまうことを防止できる。なお、分岐線側コネクタ４０を基線側コネクタ２から抜く場合には、基線側ハウジング部３のロック解除ツマミ２７を押圧してロック爪２４とロック溝部４６との係合を解除した状態で分岐線側コネクタ４０を後方へ引っ張ることにより、分岐線側コネクタ４０を基線側コネクタ２から抜くことができる。
【００６５】
各保護壁部４４は、第２角筒部４３内において、リセ端子６０のリセ端子部６３を覆うように設けられている。各保護壁部４４は、図１５及び図１６を参照して、第１角筒部４２と第２角筒部４３との間に設けられた区画壁部４７から前方へ延びるように形成された延出部４８と、該延出部４８の先端部分を覆う先端壁部４９とを有し、これらが一体に形成されている。
【００６６】
各延出部４８は、図１６及び図１７を参照して、リセ端子部６３の上下方向における外側（リセ端子部６３にタブ端子部３１が挿入されたときにリセ端子部６３が広がる方向側）を覆う外側延出部５０と、リセ端子部６３の右側を覆う右側延出部５１と、リセ端子部６３の左側を覆う左側延出部５２とを有し、これらが一体に形成されている。
【００６７】
先端壁部４９は、延出部４８の先端（前側の部分）を覆う矩形の板状の部分である。各先端壁部４９は、リセ端子部６３における前側の部分を覆っている。すなわち、先端壁部４９は、リセ端子部６３における前側の部分を前側から覆うカバー部５４として設けられている。
【００６８】
図１８は、分岐ケーブル７５が圧着された状態のリセ端子６０の斜視図である。また、図１９は、リセ端子６０の斜視図である。
【００６９】
リセ端子６０は、板状の金属部材がプレス加工によって折り曲げられて形成された部品であって、前後方向に延びるように形成されている。リセ端子６０は、角筒部６１と、ケーブル圧着部６２と、リセ端子部６３（相手側コンタクト部）とを有し、これらが一体に形成されている。
【００７０】
角筒部６１は、リセ端子６０における前後方向中央部分に設けられた部分である。角筒部は５１、前側及び後側に開口部を有する角筒状であって、上下方向よりも左右方向の方が長くなるように形成されている。
【００７１】
ケーブル圧着部６２は、受け部６４と２つのバレル６５とを有し、これらが一体に形成されている。受け部６４は、分岐ケーブル７５が載せ置かれる部分として設けられている。ケーブル圧着部６２では、受け部６４に分岐ケーブル７５の導電部７６が載せ置かれた状態で、各バレル６５が導電部７６側へ折れ曲げられる。これにより、受け部６４とバレル６５との間で導電部７６が挟まれて保持されるため、リセ端子６０が分岐ケーブル７５の導電部７６に電気的且つ機械的に接続される。
【００７２】
リセ端子部６３は、リセ端子６０のうちタブ端子部３１と接触する部分である。リセ端子部６３は、２つの上側板バネ部６６と、２つの下側板バネ部６７とを有している。電気的接続装置１では、図４を参照して、基線側コネクタ２と分岐線側コネクタ４０とが嵌合した状態において、２つの上側板バネ部６６（図４では１つのみ図示）と２つの下側板バネ部６７（図４では１つのみ図示）とが、一対の板バネ部としてタブ端子部３１を挟んで保持する。これにより、タブ端子３０とリセ端子６０とが電気的に接続されるため、蓄電池モジュールＢと携帯電話基地局システムとを電気的に接続することができる。
【００７３】
分岐線側コネクタ４０では、分岐ケーブル７５が圧着された状態のリセ端子６０が、以下のようにして分岐線側ハウジング４１内に収容される。具体的には、図１６を参照して、リセ端子６０が、分岐線側ハウジング４１の後側から前側へ向けて挿入される。このとき、２つの上側板バネ部６６が分岐線側ハウジング４１の上側の保護壁部４４内に収容され、且つ２つの下側板バネ部６７が下側の保護壁部４４内に収容される。これにより、分岐ケーブル７５が圧着された状態のリセ端子６０が、分岐線側ハウジング４１内に収容される。
【００７４】
分岐線側コネクタ４０では、図１４及び図１５を参照して、リセ端子部６３の先端部分が、分岐線側ハウジング４１のカバー部５４によって覆われている。すなわち、分岐線側コネクタ４０のリセ端子部５３は、カバー部５４によって外部に露出しない状態となっている。こうすると、作業者による基線側コネクタ２と分岐線側コネクタ４０との嵌合作業が行われる際、作業者の指がリセ端子６０に触れることを防止できる。すなわち、カバー部５４は、作業者の感電を防止するフィンガープロテクト部として機能する。
【００７５】
ところで、ケーブルを複数に分岐するために従来から用いられてきた分岐用のコネクタでは、上述した特許文献１にも開示される通り、複数の部品が組み合わせられた後、半田付け等の作業工程を経て、端子部分が形成されていた。すなわち、従来の分岐用のコネクタは、部品点数及び作業工程が多く、構成も煩雑であった。
【００７６】
この点につき、本実施形態に係る基線側コネクタ２では、基線ケーブル７０ａに接続される部分（具体的には、圧着部３２）と、分岐線側コネクタ４０に接続される部分（具体的には、タブ端子部３１）とが、１つの部材によって一体に形成されている。これにより、従来と比べて部品点数及び作業工程の点で優れたコネクタを提供できる。
【００７７】
［効果］
以上のように、本実施形態に係る基線側コネクタ２では、圧着部３２が基線ケーブル７０ａに電気的に接続された基線側コネクタ２のタブ端子部３１に、分岐線側コネクタ４０のリセ端子部６３を嵌合させることにより、基線側コネクタ２に接続された携帯電話基地局システムと、分岐線側コネクタ４０に接続された蓄電池モジュールＢとを電気的に接続することができる。
【００７８】
また、基線側コネクタ２では、上述のように、第１接続部としての圧着部３２が複数、設けられている。そうすると、右側圧着部３２Ｒに接続されている基線ケーブル７０ａを、左側圧着部３２Ｌに接続されている基線側ケーブル７０ａと、分岐線側コネクタ４０に接続された分岐ケーブル７５とに分岐することができる。すなわち、基線側コネクタ２によれば、制御モジュールＣ側の基線ケーブル７０ａを、蓄電池モジュールＢ側へ向けて複数に（本実施形態の場合、２つに）分岐することができる。
【００７９】
そして、基線側コネクタ２では、圧着部３２及びタブ端子部３１を有するタブ端子３０が、一体に設けられている。すなわち、基線側コネクタ２によれば、制御モジュールＣ側の基線ケーブル７０ａを蓄電池モジュールＢ側へ向けて複数に分岐可能な基線側コネクタ２のタブ端子３０を、１つの部材で形成することができる。そうすると、例えば複数の部材を組み立てることにより分岐用のコネクタの端子を形成する場合と比べて、部品点数及び組立工数を削減することができる。
【００８０】
従って、基線側コネクタ２によると、部品点数及び組立工程が少なく、構成が簡素化された分岐用のコネクタを提供できる。
【００８１】
また、基線側コネクタ２では、基線ケーブル７０ａに圧着部３２を圧着することにより、基線側コネクタ２のタブ端子３０を、基線側ケーブル７０ａに対して電気的且つ機械的に適切に接続することができる。
【００８２】
また、基線側コネクタ２によれば、携帯電話基地局システム側と電気的に接続されているタブ端子部３１が、カバー部２５ｂによって覆われている。こうすると、例えば作業者が分岐線側コネクタ４０を基線側コネクタ２へ嵌合する際に誤ってタブ端子部３１に触れてしまうことを、カバー部２５ｂによって未然に防止することができる。すなわち、基線側コネクタ２によれば、組立時における作業者の感電を防止できる。
【００８３】
また、電気的接続装置１によれば、部品点数及び組立工程が少なく構成が簡素化された分岐用のコネクタ（基線側コネクタ２）を備えた電気的接続装置を構成することができる。
【００８４】
また、電気的接続装置１によれば、図１を参照して、蓄電池モジュールＢと基線７０側との連結がコネクタ２，４０によって行われているため、半田付け等を行うことなく、蓄電池モジュールＢの交換を容易に行うことができる。
【００８５】
以上、本発明の実施形態について説明したが、本発明はこれらに限定されるものではなく、本発明の趣旨を逸脱しない限りにおいて種々の変更が可能である。
【００８６】
［変形例］
（１）図２０は、変形例に係る基線側コネクタ２ａのタブ端子３０ａの斜視図であって、該タブ端子３０ａが圧着された基線ケーブル７０ａとともに示す図である。上述した実施形態では、タブ端子３０が１つのタブ端子部３１を有する例を挙げて説明したが、これに限らず、複数の（図２０に示す例の場合、３つの）タブ端子部３１を有するタブ端子３０ａを構成してもよい。こうすると、１つの基線ケーブル７０ａを複数の分岐ケーブルに分岐することができるため、少数の基線側コネクタ２ａを用いて基線ケーブル７０ａを多数の分岐ケーブルに効率的に分岐することができる。なお、本変形例に係る基線側コネクタ２ａが有する基線側ハウジング部については、その図示を省略したが、図８に示すハウジング本体部４において、タブ端子部収容部２０が左右方向に３つ配列されたハウジング本体部を構成すればよい。
【００８７】
以上のように、本変形例によれば、上記実施形態の場合と同様、部品点数及び組立工程が少なく、構成が簡素化された分岐用のコネクタを提供できる。しかも、本変形例によれば、制御モジュールＣ側の基線ケーブル７０ａを、蓄電池モジュールＢ側へ向けて４つに分岐することができるため、上記実施形態の場合よりも多くの分岐線へ分岐することができる。
【００８８】
（２）図２１は、変形例に係る基線側コネクタ２ｂのタブ端子３０ｂの斜視図であって、該タブ端子３０ｂが圧着された基線ケーブル７０ａとともに示す図である。図２０に示す変形例では、タブ端子３０ａが２つの圧着部３２を有する例を挙げて説明したが、これに限らない。具体的には、図２１に示すように、複数のタブ端子部３１及び１つの圧着部３２を有するタブ端子３０ｂを構成してもよい。
【００８９】
以上のように、本変形例によれば、上記実施形態の場合と同様、部品点数及び組立工程が少なく、構成が簡素化された分岐用のコネクタを提供できる。
【００９０】
また、本変形例では、上述のように、圧着部３２が１つだけ設けられている一方、タブ端子部３１が複数、設けられている。これにより、圧着部３２に接続されている基線ケーブル７０ａを複数の分岐ケーブル７５に分岐することができる。
【００９１】
（３）図２２は、変形例に係る基線側コネクタ２ｃのタブ端子３０ｃの斜視図である。また、図２３は、図２２に示すタブ端子３０ｃと、該タブ端子３０ｃが圧着された基線ケーブル７０ａとを示す斜視図である。
【００９２】
上述した実施形態では、２つの基線ケーブル７０ａの各端部に圧着されることにより該２つの基線ケーブル７０ａを電気的且つ機械的に接続可能なタブ端子３０を例に挙げて説明したが、これに限らない。具体的には、図２２及び図２３に示すように、基線ケーブル７０ａの中途部分の被覆部が除去され、その部分に圧着されるタブ端子３０ｃを構成してもよい。
【００９３】
本変形例のタブ端子３０ｃは、タブ端子部３１及び圧着部３２ｃ（第１接続部）を有し、これらが一体に形成されている。タブ端子部３１の構成は、上記実施形態のタブ端子部３１の構成と同じであるため、その説明を省略する。
【００９４】
圧着部３２ｃは、側方から視て略Ｕ字状に形成されている。タブ端子３０ｃでは、圧着部３２ｃの内側に、中途部分の被覆部が除去されて導電部７１が露出した基線ケーブル７０ａの該導電部７１が配置される。この状態において、圧着部３２ｃが内側へ折り曲げられることにより、図２３に示すように、タブ端子３０ｃが基線ケーブル７０ａに圧着される。
【００９５】
以上のように、本変形例によれば、圧着部３２ｃが基線ケーブル７０ａに電気的に接続された基線側コネクタ２ｃのタブ端子部３１に、分岐線側コネクタ４０のリセ端子部６３を嵌合させることにより、基線側コネクタ２ｃに接続された携帯電話基地局システムと、分岐線側コネクタ４０に接続された蓄電池モジュールＢとを電気的に接続することができる。
【００９６】
また、本変形例によれば、携帯電話基地局システム側の基線ケーブル７０ａを、分岐線側コネクタ４０に接続された分岐ケーブル７５に分岐することができる。すなわち、本変形例によれば、携帯電話基地局システム側の基線ケーブル７０ａを、蓄電池モジュールＢ側へ向けて複数に分岐することができる。
【００９７】
そして、本変形例では、圧着部３２ｃ及びタブ端子部３１を有するタブ端子３０ｃが、上記実施形態の場合と同様、一体に設けられている。従って、本変形例に係る基線側コネクタ２ｃによると、部品点数及び組立工程が少なく、構成が簡素化された分岐用のコネクタを提供できる。
【００９８】
（４）図２４は、変形例に係る基線側コネクタ２ｄのタブ端子３０ｄの斜視図である。また、図２５は、図２４に示すタブ端子３０ｄと、該タブ端子３０ｄが圧接された基線ケーブル７０ａとを示す斜視図である。
【００９９】
図２２及び図２３を用いて説明した変形例では、基線ケーブル７０ａの中途部分に圧着されるタブ端子３０ｃを例に挙げて説明したが、これに限らない。具体的には、図２４及び図２５に示すように、基線ケーブル７０ａの中途部分に圧接されるタブ端子３０ｄを構成してもよい。
【０１００】
本変形例のタブ端子３０ｄは、タブ端子部３１及び２つの圧接部３４（第１接続部）を有し、これらが一体に形成されている。タブ端子部３１の構成は、上記実施形態のタブ端子部３１の構成と同じであるため、その説明を省略する。
【０１０１】
各圧接部３４は、左右方向から視て上方に開口する略Ｕ字状に形成されている。圧接部３４は、刃部３４ａ及び保持部３４ｂを有している。圧接部３４では、基線ケーブル７０ａが刃部３４ａの間の隙間部分を介して保持部３４ｂ側へ押し込まれる際に、該基線ケーブル７０ａの被覆が引き裂かれて導電部７１が露出する。そのようにして露出した導電部７１は、保持部３４ｂの間で挟んで保持される。
【０１０２】
以上のように、本変形例によれば、上記実施形態の場合と同様、部品点数及び組立工程が少なく、構成が簡素化された分岐用のコネクタを提供できる。しかも、本変形例によれば、基線ケーブル７０ａに圧接部３４を圧接することにより、基線側コネクタ２ｄのタブ端子３０ｄを、基線側ケーブル７０ａの被覆を予め除去することなく、該基線側ケーブル７０ａに電気的且つ機械的に容易に接続することができる。
【０１０３】
（５）図２６は、変形例に係る電気的接続装置１ａの使用形態を模式的に示す図である。また、図２７は、変形例に係る電気的接続装置１ａが有する終端コネクタ１８の終端コネクタ用タブ端子５５の斜視図であって、該終端コネクタ用タブ端子５５が圧着された基線ケーブル７０ａとともに示す図である。
【０１０４】
上述した実施形態では、電気的接続装置１が、基線側コネクタ２及び分岐線側コネクタ４０を有する例を挙げて説明したが、これに限らず、基線側コネクタ２及び分岐線側コネクタ４０に加えて、図２７に示す終端コネクタ１８を更に備えた電気的接続装置１ａを構成してもよい（図２６参照）。本変形例に係る電気的接続装置１ａでは、図２６を参照して、基線７０の終端部７０Ｅに終端コネクタ１８が設けられ、その終端コネクタ１８に分岐線側コネクタ４０が接続されている。
【０１０５】
終端コネクタ１８は、図２６を参照して、終端コネクタ用タブ端子５５（第２端子）を備えている。終端コネクタ用タブ端子５５は、終端コネクタ用タブ端子部５６（第２コンタクト部）及び終端コネクタ用圧着部５７（第２接続部）を有している。終端コネクタ用タブ端子部５６及び終端コネクタ用圧着部５７は、一体に形成されている。
【０１０６】
終端コネクタ用タブ端子部５６は、上述した実施形態のタブ端子部３１と同様の形状を有している。具体的には、終端コネクタ用タブ端子部５６は、タブ状に形成された部分として設けられている。
【０１０７】
終端コネクタ用圧着部５７は、上述した実施形態の圧着部３２と同様の形状を有している。具体的には、終端コネクタ用圧着部５７は、円筒状に形成された部分として設けられている。終端コネクタ用圧着部５７における一方側の端部には終端コネクタ用タブ端子部５６が一体に設けられ、他方側の端部には開口部が形成されている。
【０１０８】
終端コネクタ１８では、基線ケーブル７０ａの端部の被覆が除去されることにより露出した導電部７１が終端コネクタ用圧着部５７の開口部から挿通され、その状態の導電部７１に対して終端コネクタ用圧着部５７がかしめられる。これにより、終端コネクタ用圧着部５７が、基線ケーブル７０ａの終端部７０Ｅに対して電気的且つ機械的に接続される。そして、このように基線ケーブル７０ａの終端部７０Ｅに接続された終端コネクタ１８の終端コネクタ用タブ端子部５６に、分岐線側コネクタ４０が接続される。
【０１０９】
ところで、例えば上述した実施形態に係る基線側コネクタ２と分岐線側コネクタ４０とを適宜、組み合わせて各ケーブル７０ａ，７５を結線し、システムを構築した場合、基線７０の終端部７０Ｅに設けられた基線側コネクタ２において、基線ケーブル７０ａが接続されない圧着部３２が生じてしまい、その部分が開放されたままの状態となってしまう。
【０１１０】
この点につき、終端コネクタ１８によれば、基線７０の終端部７０Ｅに終端コネクタ１８を設けることにより、上述のように開放されたままの圧着部３２が生じてしまうことを防止できる。しかも、終端コネクタ１８には、端子部及び圧着部が１つずつ設けられているため、その構成を簡素化できる。
【０１１１】
（６）上述した実施形態では、基線側コネクタ２にタブ端子部３１を設け、分岐線側コネクタ４０にリセ端子部６３を設ける例を挙げて説明したが、これに限らない。具体的には、基線側コネクタにリセ端子部を設け、分岐線コネクタにタブ端子部を設けてもよい。
【０１１２】
（７）上述した実施形態及び各実施形態では、基線側コネクタ２を、圧着又は圧接により、基線ケーブル７０ａに固着する例を挙げて説明したが、これに限らない。具体的には、各基線ケーブル７０ａの端部に接続された他のコネクタ（他の部材）と嵌合可能な基線側コネクタを構成してもよい。
【０１１３】
（８）上述した実施形態では、圧着部３２の形状を円筒状としたが、これに限らない。具体的には、圧着部の形状は、筒状の壁部が開いた状態の、いわゆるオープンバレル状であってもよい。
【産業上の利用可能性】
【０１１４】
本発明は、ケーブルを分岐するためのコネクタ、及びこのコネクタを備えた電気的接続装置に広く適用することができる。
【符号の説明】
【０１１５】
１，１ａ                電気的接続装置
２，２ａ〜２ｄ          基線側コネクタ（コネクタ）
１８                    終端コネクタ
３０，３０ａ〜３０ｄ    タブ端子（端子）
３１                    タブ端子部（第１コンタクト部）
３２，３２ｃ            圧着部（第１接続部）
３２Ｒ                  右側圧着部（第１接続部）
３２Ｌ                  左側圧着部（第１接続部）
３４                    圧接部（第１接続部）
４０                    分岐線側コネクタ（相手側コネクタ）
５５                    終端コネクタ用タブ端子（第２端子）
５６                    終端コネクタ用タブ端子部（第２コンタクト部）
５７                    終端コネクタ用圧着部（第２接続部）
６３                    リセ端子部（相手側コンタクト部）
７０ａ                  基線ケーブル（導電線）
【図１】
2017126495.tif 000003
【図２】
2017126495.tif 000004
【図３】
2017126495.tif 000005
【図４】
2017126495.tif 000006
【図５】
2017126495.tif 000007
【図６】
2017126495.tif 000008
【図７】
2017126495.tif 000009
【図８】
2017126495.tif 000010
【図９】
2017126495.tif 000011
【図１０】
2017126495.tif 000012
【図１１】
2017126495.tif 000013
【図１２】
2017126495.tif 000014
【図１３】
2017126495.tif 000015
【図１４】
2017126495.tif 000016
【図１５】
2017126495.tif 000017
【図１６】
2017126495.tif 000018
【図１７】
2017126495.tif 000019
【図１８】
2017126495.tif 000020
【図１９】
2017126495.tif 000021
【図２０】
2017126495.tif 000022
【図２１】
2017126495.tif 000023
【図２２】
2017126495.tif 000024
【図２３】
2017126495.tif 000025
【図２４】
2017126495.tif 000026
【図２５】
2017126495.tif 000027
【図２６】
2017126495.tif 000028
【図２７】
2017126495.tif 000029